(57)【要約】      （修正有）【課題】静音で時間又場所の制約を受けずに頭髪を痛めずにスタイリングを可能とした整髪機を提供する。【解決の手段】従来、保持部１に構成されていた発熱部１１をロールブラシ体２に移動する事により静音と安定した熱供給を可能とし、ブラシ部に凹凸３を構成する事で頭髪に加わる発熱面積の拡大と凹凸構造により凹凸内部にトルマリンを付着又含有させる事でマイナスイオンを充分放出する事が可能となる。【選択図】図１
2004249020.tif 000002
【特許請求の範囲】
【請求項１】
保持部に対しロールブラシ体軸をヒーターにより発熱させ加熱する。切替スイッチによりドライヤー機能と従来に無いホットロールブラシ機能を兼ね備え、切替スイッチの選択により温度の調節を自在とした静音を特徴とした整髪機。
【請求項２】
保持部に対しロールブラシ体の相対回転を可能とし、切替スイッチの選択により回転の調節を自在とした整髪機。
【請求項３】
ロールブラシ体の中央軸となる部分の凹凸を特徴とし、ロールブラシ体軸よりブリスル部分に向かい放出されるマイナスイオン発生機能を備えた整髪機。
【発明の詳細な説明】
【０００１】
【発明の属する技術分野】
本発明は、ホットロールブラシ機能とドライヤー機能の一体化に関する整髪機である。
【０００２】
【従来の技術】
従来の整髪機は発熱体を保持部に有し、保持部で過熱され送風する温風を熱源としていたために整髪時の送風音により場所や時間の制約に問題があった。保持部に発熱体を構成したブラシを一体化した整髪機においては、ブラシの元と先端に温度差が生じ、発熱が均等ではなく発熱体を有する保持部側に熱が集中してしまう難点があった。
【０００３】
従来の整髪機としてドライヤーにブラシ機能を構成した整髪機について説明する。
【特許文献１】
特開平６−３８８２３号広報（４頁、図１（ａ））
【特許文献２】
特開平１０−５２３１１号広報（３頁、図１）
上記は発熱体を保持部に有し、後部より送風された風をヒーターにより加熱し送風口より温風、冷風を放出するように構成した整髪機となっている。
【０００４】
【考案が解決しようとする課題】
上記保持部に電熱ヒーターを構成した整髪機においては、熱を頭髪に伝達する手段として保持部に構成された送風装置を用い熱伝達手段としている。ブラシを構成している整髪機においてはスタイリング機能より癖毛を直毛にする機能が重視され、頭髪の根本に必要とされるボリューム感を表現するには従来通りのロールブラシとドライヤーでのスタイリングに頼る事となった。鏝を構成している整髪機においては癖を付け過ぎると言う問題が有り、１９９０年代において前髪に鏝を使用したヘアースタイルが流行したが、その様なヘアースタイルは現状見かけない。送風音を無くす事や美容院でブローされた髪の根本にボリューム感を出し自然なスタイリングを思う様に表現する事は困難であった。
【０００５】
本考案はこの様な問題を解決し、１台において静音で容易なスタイリングを可能とし、用途に分けドライヤーによる乾燥機能を有し、マイナスイオン発生により頭髪を痛めず整髪機を使い分ける。購入費用を考慮すれば１台で使い分けが出来、費用的にも有利な整髪機を提供する。
【０００６】
【課題を解決するための手段】
請求項１、請求項２及び請求項３に記載の整髪機は、ロールブラシ体の軸となる棒状内部に空間を設け、棒状内部の空間にそって電気ヒーターを通す事により、発熱と回転を可能とする。
【０００７】
整髪機保持部に送風装置・発熱装置を配置し、ブラシ部分にブリスル、電気ヒーター及びマイナスイオン発生手段を整える。
【０００８】
請求項１、請求項２及び請求項３に記載の整髪機は送風装置を保持部に構成し、ロールブラシ体軸となる棒状部分による多数の穴又は網により棒状内部の電気ヒーターを通かした送風が温風となり外部に放出される。
【０００９】
さらに請求項３の凹凸を備える事により温度伝達面積を広範囲とし、凹凸内部にマイナスイオンを発生させるトルマリン鉱石を含有又は付着させた素材を使用する。
【００１０】
【発明の実施の形態】
【００１１】
以下、本発明の実施例について図１乃至ａ概略縦断側面図・ｂ側面図・ｃ全体側面図を参照し説明する。保持部１に対しロールブラシ体２とが一体となり回転ホットロールブラシが構成される。
【００１２】
図１・ａの２より構成されるロールブラシ体は軸１２を筒状空間とし、その中央にコイル等からなる電気ヒーター１１を設置し凹部にブリスを構成する。電気ヒーター１１を発熱させその熱を凹凸部３に伝達させる。送風装置１８を併用した場合は送風される風が電気ヒーター１１により温められ筒状空間１２を覆う網体１０より凹凸部にもうけた送風口８より温風となり排出される。
【００１３】
送風装置１８を停止して使用する場合、１２に設置した電気ヒーター１１の熱が凹凸３に伝えられる事で静音でのスタイリングを可能とする。凹凸部外部に加わる熱量を検討し頭皮に触れる凹凸外部３に熱伝導可能な合成樹脂の使用と電気ヒーター１１による熱量調節により頭皮に接する凹凸部３の直接の熱を緩和する。
【００１４】
凹凸部３にトルマリンを含有し素材を使用するか又は凹凸部３の内側にトルマリンを付着させマイナスイオンを発生させる。
【００１５】
ロールブラシ体２の回転に頭髪を絡める事がないよう、回転部分をブラシ部分のみでは無く保持部１の接合部２０より回転させる為に回転モーター１６を動力としモーター歯車１４の正逆回転をロールブラシ体歯車１３に伝動する事によりロールブラシ体２全体を回転させ、接合部２０においてはロールブラシ体２が保持部１の外部に覆いかぶさり、回転時頭髪を絡めないカバーを構成する。保持部１とロールブラシ体２の回転において起きる摩擦を緩和する為に保持部１とロールブラシ体２の接合部分に数箇所の溝２１をもうけ、溝２１に摩擦緩和玉１９を配置する事で回転を円滑とし、頭髪がブリスルに絡んだ場合の為にモーター歯車１４にバネ又は合成樹脂によるクッションを構成しモーター歯車１４に意図的空回りを発生させる。
【００１６】
スイッチは送風スイッチ７によりＯＦＦ・弱風・強風切替を行い、回転スイッチ４・５を構成し相対回転・回転速度を定める。回転スイッチは一体化してもよいが安全の為に回転方向を変更する場合は必ずＯＦＦを中心として相対回転を決定する。温度スイッチ６により電気ヒーターの温度をＯＦＦ・低音・高温の設定を行う。
【００１７】
【発明の効果】
本発明によりドライヤー機能とホットロールブラシ機能を切替スイッチにより可能としたためにドライヤーとロールブラシ機能、ホットロールブラシ機能を有したために整髪時のドライヤー使用による送風音の問題の解決した。
【００１８】
送風によるブリスル部分よりの頭髪の飛び散りと言う欠点、ドライヤーとロールブラシを組み合わせ使用する際の発熱の斑を解決し、マイナスイオンにより殺菌、抗菌効力を有し頭髪を痛めない整髪器を提供する。
【図面の簡単な説明】
【図１  ａ】概略縦断側面図
【図１  ｂ】側面図
【図１  ｃ】全体側面図
【符号の説明】
１  保持部                                １１電気ヒーター
２  ロールブラシ体                        １２ロールブラシ体軸の筒状空間
３  凹凸部                                １３ロールブラシ体歯車
４・５  回転スイッチ                      １４モーター歯車
６  温度スイッチ                          １５モーター歯車クッション
７  送風スイッチ                          １６回転モーター
８  送風向                                １７発熱装置
９  ブリスル                              １８送風装置
１０網体                                  １９摩擦緩和玉
２０接合部
２１接合部溝
【図１】
2004249020.tif 000003
【手続補正書】
【提出日】平成15年4月28日(2003.4.28)
【手続補正１】
【補正対象書類名】明細書
【補正対象項目名】００１２
【補正方法】変更
【補正の内容】
【００１２】
図１ａの２より構成されるロールブラシ体は軸１２を筒状空間とし、その中央にコイル等からなる電気ヒーター１１を設置し凹部にブリスル９を構成する事により頭髪を巻き取る。電気ヒーター１１を発熱させその熱を凹凸部３に伝達させる。送風装置１８を併用した場合は送風される風が電気ヒーター１１により温められ筒状空間１２を覆う網体１０より凹凸部にもうけた送風口８より温風となり排出される。




【手続補正書】
【提出日】平成15年4月28日(2003.4.28)
【手続補正１】
【補正対象書類名】明細書
【補正対象項目名】図面の簡単な説明
【補正方法】変更
【補正の内容】
【図面の簡単な説明】
【図  １】本発明の一実施例に用いられる回転式ホットロールブラシドライヤーを示しａは概略縦断側面図、ｂは側面図、ｃは全体側面図である。
【符号の説明】
１  保持部                                １１電気ヒーター
２  ロールブラシ体                        １２ロールブラシ体軸の筒状空間
３  凹凸部                                １３ロールブラシ体歯車
４  回転スイッチ                          １４モーター歯車
５  回転スイッチ                          １５モーター歯車クッション
６  温度スイッチ                          １６回転モーター
７  送風スイッチ                          １７発熱装置
８  送風向                                １８送風装置
９  ブリスル                              １９摩擦緩和玉
１０網体                                  ２０接合部
２１接合部溝